(57)【要約】【課題】部品共用化などで見た目には変わらない制御装置を謝って装着された場合に、その誤りを直ぐ発見できるようにすること。【解決手段】記憶手段３に記憶された機種を識別する識別情報５と、制御装置固有の機種情報６とが機種判定手段７によって不一致であると判定された場合には、不一致であることを表示する機種異常表示手段８を備えている。これによって、機器に間違った制御装置を取り付けたことが分かり、直ちに対応することが可能になる。【選択図】　図１
2004021372.tif 000002
【特許請求の範囲】
【請求項１】
機器を制御する制御装置において、機器制御装置固有の機種情報と、少なくとも機種を識別する識別情報からなる機器情報を記憶する記憶手段と、前記記憶手段に記憶されている識別情報と前記制御装置固有の機種情報とが一致しているか否かを判定する機種判定手段と、前記機種判定手段により一致していないと判定した場合にはその旨を表示する機種異常表示手段を備えた制御装置。
【請求項２】
機器を制御する制御装置において、機器制御装置固有の機種情報と、少なくとも機種を識別する識別情報からなる機器情報を記憶する記憶手段と、前記記憶手段に記憶されている識別情報と前記制御装置固有の機種情報とが一致しているか否かを判定する機種判定手段と、前記機種判定手段により一致していないと判定した場合には、その旨を音声により知らせる機種異常報知手段を備えた制御装置。
【請求項３】
機器を制御する制御装置において、機器制御装置固有の機種情報と、少なくとも機種を識別する識別情報からなる機器情報を記憶する記憶手段と、前記記憶手段に記憶されている識別情報と前記制御装置固有の機種情報とが一致しているか否かを判定する機種判定手段と、前記機種判定手段により一致していないと判定した場合には、前記機器の運転を停止する機器停止手段を備えた制御装置。
【発明の詳細な説明】
【０００１】
【発明の属する技術分野】
本発明は、機器の制御装置に関するものである。
【０００２】
【従来の技術】
従来この種の制御装置は、図４に示すような構成になっている。すなわち、制御装置１において、外部機器２を介して記憶手段３に記憶する情報に基づいて、機器動作手段４により機器を動作させるようにしている。
【０００３】
【発明が解決しようとする課題】
しかしながら、従来の制御装置１では、部品共用化などで見た目がほとんど変わらなく記憶手段３に記憶する情報も標準化されており、機器制御用マイコン内のプログラムだけが異なるような場合には、機器に制御装置１を間違って取り付けてしまうという課題を有していた。
【０００４】
【課題を解決するための手段】
本発明は上記課題を解決するために、記憶手段に機種を識別する識別情報を記憶し、制御装置固有の機種情報と一致しているかを判定する機種判定手段を備えたものである。
【０００５】
上記発明によれば、機器に間違った制御装置を取り付けたことが分かり、制御装置を交換することで機器が異常な状態で動作することを防げる。
【０００６】
【発明の実施の形態】
本発明の請求項１記載の発明は、機器を制御する制御装置において、機器制御装置固有の機種情報と、少なくとも機種を識別する識別情報からなる機器情報を記憶する記憶手段と、前記記憶手段に記憶されている識別情報と前記制御装置固有の機種情報が一致しているかを判定する機種判定手段と、前記機種判定手段により一致していないと判定したことを表示する機種異常表示手段を備えているため、機器に間違った制御装置を取り付けたことが機器を動作させる前に分かり、機器を異常な状態で動作させることを防ぐことができる。
【０００７】
請求項２記載の発明は、機器を制御する制御装置において、機器制御装置固有の機種情報と、少なくとも機種を識別する識別情報からなる機器情報を記憶する記憶手段と、前記記憶手段に記憶されている識別情報と前記制御装置固有の機種情報が一致しているかを判定する機種判定手段と、前記機種判定手段により一致していないと判定したことを音声により知らせる機種異常報知手段を備えているため、表示などのよる確認作業をしない場合でも機器に間違った制御装置を取り付けたことが機器を動作させる前に分かり、機器を異常な状態で動作させることを防ぐことができるる。
【０００８】
請求項３記載の発明は、機器を制御する制御装置において、機器制御装置固有の機種情報と、少なくとも機種を識別する識別情報からなる機器情報を記憶する記憶手段と、前記記憶手段に記憶されている識別情報と前記制御装置固有の機種情報が一致しているかを判定する機種判定手段と、前記機種判定手段により一致していないと判定した場合に、機器の運転を停止する機器停止手段を備えているため、機器に間違った制御装置を取り付けても機器を異常な状態で動作させないようにすることができる。
【０００９】
【実施例】
以下、本発明の実施例について図面を用いて説明する。なお、従来例と同一部品には同一番号を付し説明する。
【００１０】
（実施例１）
図１は本発明の実施例１の制御装置の構成図である。図１において説明する。外部機器２を介して、機器の動作に必要な情報を記憶する記憶手段３とこの情報により機器を動作させる機器動作手段４を備えている。
【００１１】
ここで、機種を識別する識別情報５を記憶手段３に記憶し、識別情報５と制御装置固有の機種情報６とが一致しているかを判定する機種判定手段７と、機種判定手段７が不一致であると判定した場合に、不一致であることを表示（例えばＬＥＤ点滅やＬＣＤ画面にＮＧ表示）する機種異常表示手段８を備えることにより、機器に間違った制御装置を取り付けたことが機器を動作させる前に分かり、機器を異常な状態で動作させることを防ぐことが可能となる。
【００１２】
（実施例２）
図２は本発明の実施例２の制御装置の構成図である。図２において、外部機器２を介して、機器の動作に必要な情報を記憶する記憶手段３とこの情報により機器を動作させる機器動作手段４を備えている。
【００１３】
ここで、機種を識別する識別情報５を記憶手段３に記憶し、識別情報５と制御装置固有の機種情報６とが一致しているかを判定する機種判定手段７と、機種判定手段７が不一致であると判定した場合に、不一致であることを音声により知らせる機種異常報知手段９を備えているため、表示などによる異常確認作業をしなくても機器に間違った制御装置を取り付けたことが機器を動作させる前に分かり、機器を異常な状態で動作させることを防ぐことが可能となる。
【００１４】
（実施例３）
図３は本発明の実施例３の制御装置の構成図である。図３において、外部機器２を介して、機器の動作に必要な情報を記憶する記憶手段３とこの情報により機器を動作させる機器動作手段４を備えている。
【００１５】
ここで、機種を識別する識別情報５を記憶手段３に記憶し、識別情報５と制御装置固有の機種情報６とが一致しているかを判定する機種判定手段７と、機種判定手段７が不一致であると判定した場合に、機器の運転を停止する機器停止手段１０を備えているため、機器に間違った制御装置を取り付けても機器を異常な状態で動作させないことが可能となる。
【００１６】
【発明の効果】
以上のように本発明によれば、機器に間違った制御装置を取り付けたことが機器を動作させる前に分かり、機器を異常な状態で動作させることを防ぐという効果が得られる。
【図面の簡単な説明】
【図１】本発明の実施例１の形態による制御装置を示す構成図
【図２】本発明の実施例２の形態による制御装置を示す構成図
【図３】本発明の実施例３の形態による制御装置を示す構成図
【図４】従来の制御装置を示す構成図
【符号の説明】
１　制御装置
２　外部機器
３　記憶手段
４　機器動作手段
５　識別情報
６　機種情報
７　機種判定手段
８　機種異常表示手段
９　機種異常報知手段
１０　機器停止手段
【図１】
2004021372.tif 000003
【図２】
2004021372.tif 000004
【図３】
2004021372.tif 000005
【図４】
2004021372.tif 000006